(57)【特許請求の範囲】
【請求項１】
前方に開口を有し、かつ筒状をなす部分を有する、マスク本体と、
上記マスク本体の後端側であって少なくとも左右側部の２箇所から延び、長さ調節可能なベルトと、を備え、
上記マスク本体は、被装着動物の下顎に接触する下顎接触部と、被装着動物の頭頂に接触する頭頂接触部と、上記頭頂接触部から前方に延びる庇部と、を有することを特徴とする、愛玩動物用マスク。
【請求項２】
上記下顎接触部は、被装着動物の下顎の所定範囲を覆う曲面形状をなし、
上記頭頂接触部は、被装着動物の頭頂の所定範囲を覆う曲面形状をなす、請求項１に記載の愛玩動物用マスク。
【請求項３】
上記開口は、上記マスク本体の左右両側方において後方に凹状の抉り部を有する、請求項１に記載の愛玩動物用マスク。
【請求項４】
上記マスク本体における上記開口よりも下側の適所には、貫通孔が形成されている、請求項１ない３のいずれかに記載の愛玩動物用マスク。
【請求項５】
上記ベルトは、上記左右側部の２箇所から延びる一対のベルト片と、上記マスク本体の後端側であって上記一対のベルト片が掛け止められる部位とは異なる他の少なくとも１箇所から延びる追加のベルト片と、を有し、
上記一対のベルト片および上記追加のベルト片を、それぞれの所望の位置で一纏めに保持する、保持手段を備える、請求項１ないし４のいずれかに記載の愛玩動物用マスク。
【請求項６】
上記マスク本体は、軟質樹脂材料またはゴム材料からなる、請求項１ないし５のいずれかに記載の愛玩動物用マスク。
【発明の詳細な説明】
【技術分野】
【０００１】
本発明は、たとえば犬等が噛み付いたり、あるいは拾い食いをするのを防止するために用いる愛玩動物用マスクに関する。
【背景技術】
【０００２】
従来、犬の噛み付きや拾い食い等を防止するために用いられる口輪が知られている。犬用の口輪としては、犬の口自体を覆うもの（たとえば特許文献１を参照）や、犬の口が開かないように拘束するもの（たとえば特許文献２を参照）がある。特許文献１，２に開示された口輪は、いずれも犬の眼の前縁から口周辺に向けて前方に突き出る部分（「吻」と呼ばれる部分）を包囲するように装着される。
【０００３】
今日では、愛玩動物として様々な犬種の犬が飼育されているが、中には上記の吻が短い、短吻種と呼ばれる犬種（たとえばフレンチブルドッグなど）がある。短吻種においては、上記従来の口輪をきっちり装着することができなかった。
【先行技術文献】
【特許文献】
【０００４】
【特許文献１】特開平８−９８１７号公報
【特許文献２】実用新案登録第３１４５７９６号公報
【発明の概要】
【発明が解決しようとする課題】
【０００５】
本発明は、このような事情のもとで考え出されたものであって、いわゆる短吻種に分類される愛玩動物に装着するのに適した愛玩動物用マスクを提供することを課題とする。
【課題を解決するための手段】
【０００６】
上記の課題を解決するため、本発明では、次の技術的手段を講じている。
【０００７】
本発明によって提供される愛玩動物用マスクは、前方に開口を有し、かつ筒状をなす部分を有する、マスク本体と、上記マスク本体の後端側であって少なくとも左右側部の２箇所から延び、長さ調節可能なベルトと、を備え、上記マスク本体は、被装着動物の下顎に接触する下顎接触部と、被装着動物の頭頂に接触する頭頂接触部と、を有することを特徴としている。
【０００８】
好ましい実施の形態においては、上記下顎接触部は、被装着動物の下顎の所定範囲を覆う曲面形状をなし、上記頭頂接触部は、被装着動物の頭頂の所定範囲を覆う曲面形状をなす。
【０００９】
好ましい実施の形態においては、上記マスク本体は、上記頭頂接触部から前方に延びる庇部を有する。
【００１０】
好ましい実施の形態においては、上記開口は、上記マスク本体の左右両側方において後方に凹状の抉り部を有する。
【００１１】
好ましい実施の形態においては、上記マスク本体における上記開口よりも下側の適所には、貫通孔が形成されている。
【００１２】
好ましい実施の形態においては、上記ベルトは、上記左右側部の２箇所から延びる一対のベルト片と、上記マスク本体の後端側であって上記一対のベルト片が掛け止められる部位とは異なる他の少なくとも１箇所から延びる追加のベルト片と、を有し、上記一対のベルト片および上記追加のベルト片を、それぞれの所望の位置で一纏めに保持する、保持手段を備える。
【００１３】
好ましい実施の形態においては、上記マスク本体は、軟質樹脂材料またはゴム材料からなる。
【００１４】
本発明のその他の特徴および利点は、添付図面を参照して以下に行う詳細な説明によって、より明らかとなろう。
【図面の簡単な説明】
【００１５】
【図１】本発明に係る愛玩動物用マスクの一例を示す全体斜視図である。
【図２】図１に示す愛玩動物用マスクの平面図である。
【図３】図１に示す愛玩動物用マスクの側面図である。
【図４】図２のＩＶ−ＩＶ線に沿う断面図である。
【図５】図１に示す愛玩動物用マスクの使用状態を説明するための側面図である。
【図６】本発明に係る愛玩動物用マスクの他の例を示す全体斜視図である。
【図７】図６に示す愛玩動物用マスクの平面図である。
【発明を実施するための形態】
【００１６】
以下、本発明の好ましい実施の形態について、図面を参照して具体的に説明する。
【００１７】
図１〜図４は、本発明に係る愛玩動物用マスクの一例を示している。本実施形態の愛玩動物用マスクＡ１は、マスク本体１およびベルト２を備えて構成される。なお、図４においてはベルト２を省略している。
【００１８】
マスク本体１は、たとえば短吻種犬などの愛玩動物の顔ないし頭に装着するものである。マスク本体１は、筒状をなす部分（筒状部１１）と、下顎接触部１２と、頭頂接触部１３と、庇部１４と、開口１５と、延出部１６，１７，１８と、を有する。マスク本体１は、軟質樹脂材料またはゴム材料によって一体形成されたものであり、全体として略均一な厚さを有する。マスク本体１を構成する材料としては、たとえばシリコーン樹脂が挙げられる。
【００１９】
筒状部１１は、概ね前後に沿って略円筒状とされた部分である。なお、図２、図３においては、図中左方が前方であり、図中右方が後方である。また、図３においては、筒状部１１、下顎接触部１２、頭頂接触部１３、および庇部１４の各々の領域にハッチングを施しており、それぞれの領域の境界の目安として一点鎖線を記入している。
【００２０】
下顎接触部１２は、被装着動物の下顎に接触する部分である。下顎接触部１２は、被装着動物の下顎の所定範囲を覆うために曲面形状をなしている。本実施形態においては、下顎接触部１２は、筒状部１１の一部を含んで構成される。また、本実施形態においては、下顎接触部１２ないし筒状部１１に複数の貫通孔１９が形成されている。これら貫通孔１９は、後述の開口１５よりも下側に形成されている。
【００２１】
頭頂接触部１３は、被装着動物の頭頂に接触する部分である。頭頂接触部１３は、被装着動物の頭頂の所定範囲を覆うために曲面形状をなしている。本実施形態においては、頭頂接触部１３は、筒状部１１の一部を含んで構成される。
【００２２】
庇部１４は、頭頂接触部１３から前方に延びている。本実施形態において、庇部１４は、前方に向かうほど上方に変位している。また、庇部１４は、下方が凸状となるように湾曲している。
【００２３】
開口１５は、マスク本体１の前方に形成されている。詳細は後述するが、マスク本体１を被装着動物に装着したとき、当該動物の目や鼻は開口１５を通じて外部に臨む。本実施形態において、開口１５は、マスク本体１の左右両側方において後方に凹状の抉り部１５１を有する。
【００２４】
延出部１６，１７，１８は、マスク本体１において後方に延出する部分である。より具体的には、延出部１６，１７は、マスク本体１の左右側部に位置し、延出部１８は、マスク本体１の上部に位置する。延出部１６，１７，１８には、それぞれベルト通し孔１６１，１７１，１８１が形成されている。なお、本発明でいう「左右側部」とは、たとえば図２に示された平面図において、紙面の上下に延びる中心軸から左側および右側に偏倚した部位のすべてが該当する。
【００２５】
ベルト２は、３つのベルト片２１，２２，２３を有するとともに、これらベルト片２１，２２，２３を保持するための保持部材２４を備える。本実施形態においては、各ベルト片２１，２２，２３は、柔軟性を有する紐状部材からなる。ベルト片２１，２２は、それぞれ一端が左右のベルト通し孔１６１，１７１に通された状態で掛け止められている。また、ベルト片２３は、一端がベルト通し孔１６１，１７１よりも上方にあるベルト通し孔１８１に通された状態で掛け止められている。本実施形態では、各ベルト片２１，２２，２３の一端に掛止リング２５が取り付けられており、これにより各ベルト片２１，２２，２３がマスク本体１から外れないようになっている。なお、ベルト片２１，２２，２３それぞれの端部を延出部１６，１７，１８に結び付けることによりマスク本体１から外れないようにしてもよい。
【００２６】
保持部材２４は、ベルト片２１，２２，２３それぞれの他端側を一纏めに保持するものである。ベルト片２１，２２，２３それぞれの他端部は、保持部材２４に設けられたベルト挿通口に共通して挿通されており、内蔵されたバネの弾性復元力によって保持されている。当該バネは、弾性復元力がベルトに作用しない解除状態に操作することが可能とされており、上記バネを解除状態とすることで各ベルト片２１，２２，２３の保持する位置を容易に変更することができる。このようにして、各ベルト片２１，２２，２３は、保持部材２４によって所望の位置で保持させることができる。
【００２７】
図５は、愛玩動物用マスクＡ１の使用態様を説明するための図である。愛玩動物用マスクＡ１を被装着動物（以後、適宜「短吻種犬Ｄ１」という）に装着する際、短吻種犬Ｄ１の顔にマスク本体１を被せる。ここで、図５に示すように、短吻種犬Ｄ１の下顎部分は下顎接触部１２によって覆われ、頭頂部分は頭頂接触部１３によって覆われる。また、目および鼻は、開口１５を通じて外部に臨んでいる。次に、左右のベルト片２１，２２を首の後ろに掛け回し、上部のベルト片２３を後頭部から首筋に沿わせる。そして、図５に示した状態から、各ベルト片２１，２２，２３について、保持部材２４による保持位置がマスク本体１に近づくように絞り、長さを調節する。これにより、愛玩動物用マスクＡ１の装着が完了する。
【００２８】
次に、愛玩動物用マスクＡ１の作用について説明する。
【００２９】
本実施形態において、マスク本体１は、筒状部１１と、下顎接触部１２および頭頂接触部１３とを有する。このような構成によれば、たとえば短吻種犬Ｄ１への装着時には、下顎接触部１２により下顎が包囲されつつ頭頂接触部１３により頭頂が押さえられる格好となり、また、筒状部１１により型崩れを防止してマスク本体１の全体形状が維持され、短吻種犬Ｄ１の口の開きが制限される。したがって、愛玩動物用マスクＡ１によれば、短吻種犬Ｄ１にも装着可能であり、噛み付きや拾い食い等を防止することができる。一方、前方の開口１５を通じて目や鼻は外部に臨んでいるため、短吻種犬Ｄ１の自由が過度に奪われることも回避できる。
【００３０】
下顎接触部１２および頭頂接触部１３は、曲面形状をなしている。このような構成によれば、マスク本体１を短吻種犬Ｄ１（愛玩動物）の顔ないし頭に的確にフィットさせることができる。
【００３１】
マスク本体１は、頭頂接触部１３から前方に延びる庇部１４を有する。装着対象となる愛玩動物の種類によっては頭上から接近するものへの警戒心が強い場合もあるところ、庇部１４を有する構成によれば、上方の視界が遮られるので、被装着動物の警戒心や不安が解消される。
【００３２】
開口１５は、マスク本体１の左右両側方において後方に凹状の抉り部１５１を有する。このような構成によれば、図５からも理解されるように、上方の視界が遮られる一方で左右両側方の視界は確保することができる。
【００３３】
マスク本体１における開口１５よりも下側の部分には、貫通孔１９が形成されている。これにより、短吻種犬Ｄ１への装着時に涎が出る場合であっても、涎は貫通孔１９を通じて落下することになるので、マスク本体１内に涎が溜まるのを防止することができる。
【００３４】
ベルト２は、マスク本体１の後端側であって左右側部および上部から延びるベルト片２１，２２，２３を有し、これらベルト片２１，２２，２３は、保持部材２４によって所望の位置で１箇所に束ねられる。このような構成によれば、愛玩動物用マスクＡ１の装着時には、ベルト片２１，２２，２３によって３方向から絞られるので、マスク本体１のフィット感が増して位置ずれし難い。
【００３５】
また、マスク本体１は軟質樹脂材料またはゴム材料からなるので、装着感がよく、被装着動物が嫌がらないといった効果も期待できる。
【００３６】
以上、本発明の具体的な実施形態を説明したが、本発明はこれに限定されるものではなく、発明の思想から逸脱しない範囲内で種々な変更が可能である。本発明に係る愛玩動物用マスクの各部の具体的な形状や材質なども、上記実施形態に限定されるものではない。
【００３７】
上記実施形態においては、ベルト２が３つのベルト片２１，２２，２３を有する場合について説明したが、４つ以上のベルト片を有する構成としてもよい。図６および図７は、４つのベルト片を有する構成例を示している。図６、図７に示された愛玩動物用マスクＡ２は、マスク本体１の左右側部の２箇所から延びるベルト片２１，２２と、当該ベルト片２１，２２が接続される部位よりも上方の２箇所から延びるベルト片２６，２７とを有する。そして、３つ以上のベルト片を有する場合、これらベルト片は、マスク本体１の左右側部の２箇所から延びる一対のベルト片と、これら一対のベルト片が掛け止められる部位よりも上方あるいは下方の少なくとも１箇所から延びる追加のベルト片とを含んで構成される。即ち、追加のベルト片は、上記一対のベルト片が掛け止められる部位とは異なる他の部位から延びていればよい。また、ベルト２の他の構成例としては、マスク本体１の左右側部の２箇所からベルト片が延びてループを形成し、当該ループの長さ調整ができるように構成してもよい。
【００３８】
マスク本体に対するベルトの取付構造や、長さ調節可能とされたベルトの具体的な構成についても、上記実施形態の範囲に限定されるものではなく、あらゆる変更が可能である。
【００３９】
本発明に係る愛玩動物用マスクの装着対象となる被装着動物は、上記実施形態のような短吻種犬Ｄ１に限定されない。短吻種に分類される動物であれば、たとえば猫など他の種類の動物に装着して使用することも可能である。
【符号の説明】
【００４０】
Ａ１，Ａ２    愛玩動物用マスク
１          マスク本体
１１        筒状部
１２        下顎接触部
１３        頭頂接触部
１４        庇部
１５        開口
１５１      抉り部
１６，１７，１８    延出部
１６１，１７１，１８１    ベルト通し孔
１９        貫通孔
２          ベルト
２１，２２    ベルト片（一対のベルト片）
２３        ベルト片（追加のベルト片）
２４        保持部材（保持手段）
２５        掛止リング
２６，２７    ベルト片（追加のベルト片）
【図１】
0006488173.tif 000002
【図２】
0006488173.tif 000003
【図３】
0006488173.tif 000004
【図４】
0006488173.tif 000005
【図５】
0006488173.tif 000006
【図６】
0006488173.tif 000007
【図７】
0006488173.tif 000008